(57)【要約】【課題】赤外蛍光像の動画並びに静止画の取り込みを簡単に行うことが可能な眼科撮影装置を提供する。【解決手段】赤外光に感度を有するＣＣＤ（１）３６が眼底の赤外蛍光像の動画並びに静止画撮影に用いられる。シャッタボタン５０の操作によりＣＣＤ（１）３６からの赤外蛍光像が静止画として記録装置４４に取り込まれる。その場合、スイッチＳＷ１１の切り替えに応じてフラッシュ光源４の発光が制御され、フラッシュ光源が発光して静止画として取り込めるとともに、フラッシュ光源を発光させずに静止画を取り込むことができ、動画記録中にも、赤外蛍光像の静止画情報を得ることが可能になる。【選択図】図１
2006043308.tif 000002
【特許請求の範囲】
【請求項１】
眼底の赤外蛍光像を動画並びに静止画として取り込むことが可能な眼科撮影装置であって、
眼底の赤外蛍光像の動画並びに静止画撮影用に用いられる赤外光に感度を有した撮像手段と、
フラッシュ光源と、
静止画としての取り込みを切り替える切り替え手段とを有し、
切り替え手段の切り替えに応じてフラッシュ光源の発光が制御され、該切り替えにより前記撮像手段からの赤外蛍光像がフラッシュ光源を発光させてあるいは発光させずに静止画として取り込むことができることを特徴とする眼科撮影装置。
【請求項２】
前記撮像手段が、赤外蛍光撮影時並びに他のモードでの撮影時の観察用に用いられることを特徴とする請求項１に記載の眼科撮影装置。
【請求項３】
フラッシュ光源を発光させて静止画を取り込む場合には、前記撮像手段の自動利得制御機能がオフとなり、フラッシュ光源を発光させずに取り込む場合には、該自動利得制御機能がオンとなることを特徴とする請求項１又は２に記載の眼科撮影装置。
【請求項４】
眼底の赤外蛍光像を動画並びに静止画として取り込むことが可能な眼科撮影装置であって、
眼底の赤外蛍光像の動画並びに静止画撮影用に用いられる赤外光に感度を有した第１の撮像手段と、
眼底の赤外蛍光像の静止画撮影用に用いられる赤外光に感度を有した第２の撮像手段と、
第１と第２の撮像手段を選択する選択手段と、
フラッシュ光源と、
静止画としての取り込みを切り替える切り替え手段とを有し、
第１の撮像手段が選択されたときは、切り替え手段の切り替えに応じてフラッシュ光源の発光が制御されて前記第１の撮像手段からの赤外蛍光像がフラッシュ光源を発光させてあるいは発光させずに静止画として取り込まれ、第２の撮像手段が選択されたときには、切り替え手段の切り替えに応じて、第２の撮像手段の感度が切り替えられることを特徴とする眼科撮影装置。
【請求項５】
前記第１の撮像手段が、赤外蛍光撮影時並びに他のモードでの撮影時の観察用に用いられることを特徴とする請求項４に記載の眼科撮影装置。
【請求項６】
フラッシュ光源を発光させて静止画を取り込む場合には、前記第１の撮像手段の自動利得制御機能がオフとなり、フラッシュ光源を発光させずに取り込む場合には、該自動利得制御機能がオンとなることを特徴とする請求項４又は５に記載の眼科撮影装置。
【請求項７】
赤外蛍光像が現れる初期段階では、前記切り替え手段の切り替えにより第２の撮像手段の感度が低下され、後期では感度が増大されることを特徴とする請求項４から６のいずれか１項に記載の眼科撮影装置。
【請求項８】
前記第２の撮像手段が、第１の撮像手段より高画素の撮像手段であることを特徴とする請求項４から７のいずれか１項に記載の眼科撮影装置。
【請求項９】
前記第２の撮像手段が、外付け可能な撮像手段であることを特徴とする請求項４から８のいずれか１項に記載の眼科撮影装置。
【発明の詳細な説明】
【技術分野】
【０００１】
本発明は、眼科撮影装置、更に詳細には、眼底のカラー撮影（無散瞳、散瞳撮影）、可視蛍光像を撮影する可視蛍光撮影、赤外蛍光像を撮影する赤外蛍光撮影が可能な眼底カメラなどの眼科撮影装置に関する。
【背景技術】
【０００２】
従来から、眼底カメラなどの眼科撮影装置では、通常の眼底のカラー撮影（無散瞳、散瞳撮影）を行うほかに、可視蛍光像を撮影する可視蛍光撮影、赤外蛍光像を撮像する赤外蛍光撮影が可能な眼底カメラが知られている。これら種々の撮影モードが可能な眼底カメラでは、各撮影モードでの観察用、動画及び静止画の撮影用にそれぞれ特性に合ったカメラを設け、各モードでカメラの切り換えを行ったり、撮影光源を制御したり、記録方式を切り換えたりすることが行われている。
【０００３】
例えば、蛍光撮影の初期の段階では、ＴＶカメラで動画を撮影し、また中期ではスチルカメラで静止画撮影を行う眼底カメラが知られており（特許文献１）、赤外蛍光撮影モードにすると、撮影光源の発光を禁止する眼底カメラが知られており（特許文献２）、また、蛍光撮影時には眼底像をフィールド記録し、通常撮影時にはフレーム記録する眼底カメラが知られており（特許文献３）、また、記録装置の種類に応じて画像の取り込み方式を変えたり（特許文献４）、観察時と撮影時でカメラの利得を切り換えることが行われている（特許文献５）。
【特許文献１】特開平２−２１１１２０号公報
【特許文献２】特開平４−１８９３４１号公報
【特許文献３】特開平４−３５６３９号公報
【特許文献４】特開平８−３２２８０２号公報
【特許文献５】特開平２−２２４７３０号公報
【発明の開示】
【発明が解決しようとする課題】
【０００４】
しかしながら、眼底カメラを、散瞳撮影、無散瞳撮影、可視蛍光撮影、赤外蛍光撮影などの撮影モードに対応させると、  無散瞳撮影時の観察用、赤外蛍光撮影時の観察用及び動画撮影用、並びに赤外蛍光の静止画撮影用に別々のＣＣＤカメラが必要になったり、赤外蛍光像の動画の取り込みと同時に静止画を取り込むのが困難になったり、また、撮影モードを変えるごとに各設定を逐一切り換えなければならない、という問題があった。
【０００５】
従って、本発明は、簡単な操作で赤外蛍光像の動画並びに静止画を取り込むことが可能な眼科撮影装置を提供することを課題とする。
【課題を解決するための手段】
【０００６】
上記課題を解決する本発明（請求項１）は、
眼底の赤外蛍光像を動画並びに静止画として取り込むことが可能な眼科撮影装置であって、
眼底の赤外蛍光像の動画並びに静止画撮影用に用いられる赤外光に感度を有した撮像手段と、
フラッシュ光源と、
静止画としての取り込みを切り替える切り替え手段とを有し、
切り替え手段の切り替えに応じてフラッシュ光源の発光が制御され、該切り替えにより前記撮像手段からの赤外蛍光像がフラッシュ光源を発光させてあるいは発光させずに静止画として取り込むことができることを特徴とする。
【０００７】
また、本発明（請求項４）は、
眼底の赤外蛍光像を動画並びに静止画として取り込むことが可能な眼科撮影装置であって、
眼底の赤外蛍光像の動画並びに静止画撮影用に用いられる赤外光に感度を有した第１の撮像手段と、
眼底の赤外蛍光像の静止画撮影用に用いられる赤外光に感度を有した第２の撮像手段と、
第１と第２の撮像手段を選択する選択手段と、
フラッシュ光源と、
静止画としての取り込みを切り替える切り替え手段とを有し、
第１の撮像手段が選択されたときは、切り替え手段の切り替えに応じてフラッシュ光源の発光が制御されて前記第１の撮像手段からの赤外蛍光像がフラッシュ光源を発光させてあるいは発光させずに静止画として取り込まれ、第２の撮像手段が選択されたときには、切り替え手段の切り替えに応じて、第２の撮像手段の感度が切り替えられることを特徴とする。
【発明の効果】
【０００８】
本発明では、シャッタボタンの操作により赤外蛍光像を静止画として取り込むことができ、この場合、切り替え手段の切り替えによりフラッシュ光源を発光させて静止画を取り込むことができるとともに、フラッシュ光源を発光させずに静止画を取り込むことができるので、動画記録中にも静止画を記録することが可能となる。
【０００９】
また、本発明では、静止画撮影用の撮像手段を設けており、動画及び静止画撮影用の撮像手段に代えて静止画撮影用の撮影手段が選択されたときには、切り替え手段の切り替えに応じて撮像手段の感度が切り替えられるようになっているので、簡単な操作で良好な画質の赤外蛍光像を静止画として取り込むことが可能になる。
【発明を実施するための最良の形態】
【００１０】
本発明は、眼底のカラー撮影（無散瞳、散瞳撮影）、可視蛍光像を撮影する可視蛍光撮影、赤外蛍光像を撮像する赤外蛍光撮影など種々の撮影モードを有し、特に、赤外蛍光像の動画撮影、静止画撮影が可能な眼底カメラに関するものであり、以下に、図面に示す実施例に基づいて本発明を詳細に説明する。
【実施例１】
【００１１】
図１には、本発明の眼科撮影装置（眼底カメラ）１の実施例が図示されており、ハロゲンランプなどの観察用光源２からの光束は、凹面鏡３で集光されたあと、撮影用光源であるフラッシュ光源（ストロボ）４、コンデンサーレンズ５を経てミラー６で反射された後、リレーレンズ２０、２１を通過して穴あき全反射ミラー２２で反射され、この全反射ミラー２２で反射された光束は対物レンズ２３により被検眼Ｅの瞳Ｅｐで結像された後、眼底Ｅｒに入射する。
【００１２】
この眼底照明光学系の光路には、無散瞳撮影時に、赤外透過可視光カットフィルタ７が観察用光源２の後に挿入され、また照明光学系には、標準リングスリット１１、小瞳孔用リングスリット１２、並びに蛍光用リングスリット１３を切り替えることができるターレット円盤１０が設けられる。各リングスリット１１〜１３は、レンズと複数の絞りを一体化した構造となっており、照明光学系の光路に挿入されるこれらのリングスリットは、ほぼ被検眼Ｅの瞳Ｅｐの位置に結像され、リング状の開口部を介して照明光が入射され、それにより眼底が均一に照明される。標準リングスリット１１は、通常使用されるリングスリットで、小瞳孔用のリングスリット１２は、被検者の散瞳状態が十分ではないとき、あるいは被検者が子供のような、いわゆる小瞳孔に対して使用され、蛍光用リングスリット１３は、赤外蛍光撮影のときに用いられるもので、照明光を多く入射させるために使用される。
【００１３】
また、照明光学系には、レンズ５とミラー６間には、４５０ｎｍから５２０ｎｍの青色光束を通過させる可視蛍光用エキサイタフィルタ１４が挿脱可能に設けられ、また、７００ｎｍから８００ｎｍの赤外光を通過させる赤外蛍光用エキサイタフィルタ１５が蛍光用リングスリット１３内に一体化されて配置されている。
【００１４】
被検眼Ｅの眼底Ｅｒからの反射光は、再び瞳Ｅｐの中心部を通過して対物レンズ２３を介して受光され、穴あき全反射ミラー２２の穴を通過し、撮影光学系の光路に配置された撮影絞り２４、フォーカスレンズ２５、２６、結像レンズ２７を通過してリターンミラー３０に入射する。結像レンズ２７は、倍率の異なる結像レンズ２８と交換できこれにより変倍機構を構成している。また、この撮影光路で撮影絞り２４とフォーカスレンズ２５の間に、可視蛍光撮影時、眼底からの可視蛍光を透過させるためにバリアフィルタ３４が挿入できるようになっている。
【００１５】
リターンミラー３０で反射された眼底からの光束は、リターンミラー３１で反射され肉眼観察光学系を構成する接眼レンズ（ファインダ）３２に入射するので、検者は接眼レンズ３２を介して眼底像を観察することができる。また、赤外透過可視光カットフィルタ７を挿入し、リターンミラー３１が跳ね上がって光路より離脱すると、眼底からの光束はリターンミラー３３により反射されて赤外光に感度を有する撮像手段としての赤外ＣＣＤ（１）３６に入射する。このＣＣＤ（１）３６は、無散瞳撮影、可視蛍光撮影時あるいは赤外蛍光撮影時の眼底観察用に用いられ、ＣＣＤ（１）３６からの画像はアライメント用モニタ４０に入力されるので、眼底観察中に撮像される眼底の赤外動画像が表示され、検者は眼底像をモニタで観察しながら、アライメントや焦点合わせを行うことができる。
【００１６】
また、ＣＣＤ（１）３６は、赤外蛍光撮影時の動画撮影並びに静止画撮影用にも用いられ、そのためにＣＣＤ（１）３６からの画像はビデオタイマー４１に入力される。ビデオタイマー４１は、ビデオレコーダ４２並びにハードディスク、ＤＶＤなどで構成されるＣＰＵを搭載した記録装置（例えば、パソコン）４４と接続されるので、動画をビデオレコーダ４２に、また静止画あるいは短時間の動画を記録装置４４に記録することができる。また、ビデオレコーダ４２は、外部モニタ４３に接続され、ビデオレコーダ４２に記録されている画像を外部モニタ４３に表示させることができる。
【００１７】
また、リターンミラー３１とリターンミラー３３間の光路には、赤外蛍光撮影時、８２０ｎｍから９００ｎｍの赤外光を透過させる赤外蛍光用バリアフィルタ３５が挿入される。
【００１８】
リターンミラー３３が跳ね上がって光路から離脱すると、眼底からの光束は、ミラー３７で反射され、可視光に感度を有する撮像手段としてのカラーＣＣＤ（２）３８に入射する。ＣＣＤ（２）３８は、フラッシュ光源４の発光に同期して眼底像（静止画）を撮像し、その静止画像が記録部４４に記録できるようになっている。
【００１９】
また、リターンミラー３０が跳ね上がって光路から離脱する時には、眼底画像が３５ｍｍフィルムのような写真フィルム４５に撮影できる。この写真フィルムの代わりにＣＣＤ（２）３８と同等な撮像ユニットを用いて眼底像を撮影することもできる。
【００２０】
また、眼底カメラには、眼底の撮影を開始するシャッタボタン（撮影スイッチ）５０が設けられ、このシャッタボタン５０からの信号がＣＰＵなどで構成される制御部（制御手段）５１に入力される。また、制御部５１には、切り替え手段としてのスイッチＳＷ１１とスイッチＳＷ１２、それに撮影モード設定部５２からの信号が入力される。スイッチＳＷ１１は、赤外蛍光撮影時に静止画モードと動画優先モードを切り替えるもので、静止画としての取り込みを切り替える。また、スイッチＳＷ１２は、赤外蛍光撮影時以外のときに静止画をフィルム４５に撮影するか、あるいはＣＣＤ（２）３８で撮影するかを切り替えるために用いられる。また、撮影モード設定部５２は、カラー撮影（無散瞳撮影、散瞳撮影）、可視蛍光撮影、赤外蛍光撮影などの撮影モードを設定し、選択された撮影モードが制御部５１に入力される。制御部５１は、スイッチＳＷ１１、スイッチＳＷ１２、それに撮影モード設定部５２からの信号に基づき、フラッシュ光源４の発光を制御し、またスイッチＳＷ１１、ＳＷ１２に応じた切り替えを行い、更に、リングスリット１０の切り替え、リターンミラー３０、３１、３３の光路への挿脱、フィルタ７、１４、１５、３４、３５の光路への挿脱を制御し、また記録装置４４を制御する。
【００２１】
このような構成において、種々の撮影モードでの動作を説明する。  
【００２２】
無散瞳カラー撮影を行うときは、撮影モード設定部５２でカラー撮影（無散瞳）が選択される。無散瞳撮影であるので、赤外透過可視光カットフィルタ７が光路に挿入され、リングスリットとしては、小瞳孔用リングスリット１２が光路に挿入される。フィルタ１４、３４、３５は、光路から離脱されており、リターンミラー３０は図示の位置を占めており、リターンミラー３１は光路から離脱される。赤外光で照明された眼底Ｅｒの像は、対物レンズ２３、穴あき全反射ミラー２２、撮影絞り２４、フォーカスレンズ２５、２６、結像レンズ２７を通過して、リターンミラー３３で反射されたあとＣＣＤ（１）３６に結像されモニタ４０により赤外像の動画観察が行われる。
【００２３】
モニタ４０の観察によりアライメント、焦点合わせが完了すると、シャッタボタン５０が操作され、制御部５１は、スイッチＳＷ１２によりＣＣＤ（２）３８が選択されている場合には、シャッタボタン５０の操作によりリターンミラー３３を光路から離脱させ、フラッシュ光源４を発光させる。フラッシュ光で照明された眼底の像は、ＣＣＤ（２）３８に結像され、眼底のカラー撮影が行われる。撮影された眼底のカラー画像は、記録装置４４に静止画として記録される。なお、スイッチＳＷ１２によりフィルム４５が選択されている場合には、シャッタボタン５０の操作によりリターンミラー３０が光路から離脱されるので、眼底のカラー画像はフィルム４５に撮影される。
【００２４】
また、散瞳撮影のときは、赤外透過可視光カットフィルタ７が光路から離脱され、リングスリットとしては、標準リングスリット１１又は小瞳孔用リングスリット１２が光路に挿入される。リターンミラー３０、３１、３３は図示の位置を占めており、接眼レンズ３２を介して眼底観察が行われ、アライメント、焦点合わせが完了すると、シャッタボタンボタン５０が操作される。スイッチＳＷ１２によりＣＣＤ（２）３８が選択されている場合には、リターンミラー３１、３３が光路から離脱され、フラッシュ光源４が発光して、眼底像がＣＣＤ（２）３８で撮影され、記録装置４４にその静止画が記録される。スイッチＳＷ１２によりフィルム４５が選択されている場合には、リターンミラー３０が跳ね上がって、眼底像がフィルム４５に撮影される。
【００２５】
可視蛍光撮影のときは、リングスリットとして、標準あるいは小瞳孔用リングスリット１１、１２が選択される。観察時、ＣＣＤ（１）３６でモニタ観察するときは、赤外透過可視光カットフィルタ７が挿入され、リターンミラー３１は光路から離脱される。アライメント、焦点合わせが完了すると、蛍光剤が静注され、可視蛍光用エキサイタフィルタ１４と可視蛍光用バリアフィルタ３４が光路に挿入され、タイマーが計時を開始する。所定時間が経過すると、可視蛍光用エキサイタフィルタ１４を通過した励起光により眼底に可視蛍光像が発生するので、シャッタボタン５０が押される。
【００２６】
このシャッタボタン５０が操作されたときの動作は、無散瞳カラー撮影のときと同様であり、スイッチＳＷ１２によりＣＣＤ（２）３８が選択されていると、リターンミラー３３が光路から離脱して、フラッシュ光源４が発光し、可視蛍光像がＣＣＤ（２）３８により撮影され、その静止画が記録部４４に記録される。一方フィルム４５が選択される場合には、リターンミラー３０が光路から離脱して可視蛍光像がフィルム４５に撮影される。
【００２７】
赤外蛍光撮影のときは、リングスリットとしては、眼底への投影光量が最大となる蛍光用リングスリット１３が選択され、また照明光用フィルタとしては、赤外蛍光用エキサイタフィルタ１５が選択される。観察時には、リターンミラー３１が光路から離脱されてＣＣＤ（１）３６で撮像された眼底像がモニタ４０を介して観察される。アライメント、焦点合わせが完了すると、蛍光剤が静注され、赤外蛍光用バリアフィルタ３５が光路に挿入され、タイマーが計時を開始する。所定時間が経過すると、赤外蛍光用エキサイタフィルタ１５を通過した励起光により眼底に赤外蛍光像が発生する。この赤外蛍光像は、ビデオタイマー４１を介してビデオレコーダー４２に動画記録される。
【００２８】
その間に、シャッタボタン５０が操作されると、異なるモードで、赤外蛍光像が静止画として記録装置４４に取り込まれ、記録される。例えば、図３の上段に示したようにスイッチＳＷ１１がオフとなっているときは、シャッタボタン５０の操作によりＣＣＤ（１）３６のＡＧＣ（自動利得制御）機能がオフとなり、制御部５１からトリガ信号が記録装置４４に出力された後、記録装置で動画のフレームあるいはフィールドに合わせてフラッシュ発光のタイミングが取られ、フラッシュ光源４が発光される。そして、その発光に同期して赤外蛍光像がビデオタイマー４１から記録装置４４に静止画として取り込まれ、記録される。
【００２９】
一方、スイッチＳＷ１１が、図３の右側に示したように、オンになっているときには、シャッタボタン５０の押下により、トリガー信号が記録部４４に出力され、動画をビデオレコーダ４２に記録しながら、記録装置４４で動画のフレームあるいはフィールドに合わせて赤外蛍光像が静止画あるいは予め設定した短時間の動画像として記録装置４４に取り込まれ、そこに記録される。この場合は、ＣＣＤ（１）３６のＡＧＣ機能はオンの状態のままであり、また、静止画撮影のために、あるいは短時間の動画撮影のために、フラッシュ光源４が発光されることはない。
【００３０】
なお、シャッタ操作によって取り込まれる画像が、静止画であるか、短時間の動画であるか、あるいは短時間動画の時間（秒数）などは予め記録装置４４に設定されており、例えば短時間動画が記録装置４４に取り込まれた場合、記録装置４４で再生が行なわれる時の再生データ選択画面上に短時間動画であることを示すマークが表示される。なおこの短時間動画再生中に所定の動作をすればその動作時の静止画像が追加して記録される。
【実施例２】
【００３１】
図２には、本発明の他の実施例が図示されている。図２の実施例において、図１に示す実施例と同一の部分には、同一の符号が付されており、その詳細な説明は省略する。
【００３２】
図１に示した実施例では、赤外蛍光像の静止画を眼底カメラ１に内蔵したＣＣＤ（１）３６より得ている。このＣＣＤ（１）３６は、本来、無散瞳撮影あるいは赤外蛍光撮影などの観察時あるいは赤外蛍光の動画撮影用に用いられるもので、赤外感度は高いが低画素の撮像素子である。従って、図２に示す実施例では、赤外に感度を有する高画素の撮像手段としての赤外ＣＣＤ（３）５５を外付けして、このＣＣＤ（３）５５を選択することにより、高画質の赤外蛍光像の静止画を取得できるようにしている。
【００３３】
このために、可視光を反射し、赤外光を透過させるダイクロイックミラー５６が設けられ、カラー撮影、あるいは可視蛍光撮影時ミラー３３が光路から離脱することによりダイクロイックミラー５６で反射した眼底像がＣＣＤ（２）３８に、また赤外蛍光撮影時にダイクロイックミラー５６を透過した眼底像が、制御部５１からのトリガー信号により起動されるＣＣＤ（３）５５により撮像される。
【００３４】
ＣＣＤ（２）３８、ＣＣＤ（３）５５からの眼底像は切替回路４７により切り替えられて記録装置４４に静止画として記録される。なお、図２の実施例では、記録装置４４にキーボード４６などの入力手段が接続され、記録装置４４に記録される画像に関するデータを入力できるようになっており、また記録装置４４にはモニタ４８が接続され、記録装置４４に記録された画像をモニタで表示できるようになっている。
【００３５】
また、図２の実施例では、スイッチＳＷ２１とスイッチＳＷ２２が設けられ、スイッチＳＷ２１は、赤外蛍光撮影時にのみ有効となり、そのオンオフによりＣＣＤ（１）３６による静止画の取り込み方法あるいはＣＣＤ（３）５５の感度を切り替える。また、スイッチＳＷ２２は、赤外蛍光撮影時に静止画をＣＣＤ（１）３６で撮像するか、ＣＣＤ（３）５５で撮像するかを切り替え、ＣＣＤ（１）３６かＣＣＤ（３）５５のいずれかを選択する。また、このスイッチＳＷ２２は、静止画を赤外蛍光撮影時以外は、撮影をフィルム４５で行うか、ＣＣＤ（２）３８で行うかを切り替える。
【００３６】
このような構成において、無散瞳、散瞳のカラー撮影、並びに可視蛍光撮影の各撮影モードでの撮影は、図１と同様に行われる。このときの動作が図５の１〜３段までに示されている。無散瞳撮影時の観察は、ＣＣＤ（１）３６を用いて、また散瞳あるいは可視蛍光撮影時では、ＣＣＤ（１）３６あるいは接眼レンズ３１を介して行われる。各撮影モードでの静止画の撮影は、スイッチＳＷ２２がオンになっていると、ミラー３０、５６を介して眼底像がＣＣＤ（２）３８に入射し、ＣＣＤ（２）３８により行われ、一方スイッチＳＷ２２がオフになっていると、ミラー３０が光路から離脱してフィルム４５により行われる。いずれの撮影でも静止画撮影のために、フラッシュ光源が発光する。また、記録装置では、各ＣＣＤ（２）３８からの画像が、所定のＲＧＢのゲイン、黒レベル、ガンマ補正でカラー処理される。ただし、可視蛍光では、カラー画像は要求されないので、白黒画像に変換される。また、ＣＣＤ（２）３８の感度、ゲインなどの設定は、デフォルト値が用いられる。なお、フィルム４５で撮影が行われる場合は、画像処理ないしゲイン設定などの概念がないので、「＊」印が付されている。また、いずれのモードでも動画撮影は行われないので、動画記録は「なし」となっている。
【００３７】
一方、赤外蛍光撮影の動作が、図５の最下段に示されている。観察は、他の撮影モードと同様にＣＣＤ（１）３６を用いて行われる。静止画の撮影は、スイッチＳＷ２２がオンになっていると、ＣＣＤ（１）３６で行われ、オフになっていると、ＣＣＤ（３）５５で行われる。
【００３８】
スイッチＳＷ２２がオンとなってＣＣＤ（１）３６が選択され、ＣＣＤ（１）３６で赤外蛍光像が静止画として撮影されるときは、スイッチＳＷ２１はスイッチＳＷ１１と同様な切り替えを行う。すなわち、スイッチＳＷ２１がオフになっていると、フラッシュ光源を発光させて、またスイッチＳＷ２１がオンになっていると、フラッシュ光源を発光させずに、ビデオタイマー４１からの赤外蛍光の動画像が切り替え回路４７を介して記録装置４４に静止画として取り込まれ、記録される。なお、実施例１と同様に、フラッシュを発光させない場合は、短時間の動画像としても記録できる。また、画像処理は、ＣＣＤ（１）３６が白黒カメラなので、モノクロ処理であり、またＣＣＤ（１）３６の感度設定などはデフォルト値である。また、フラッシュを発光させるときには、ＣＣＤ（１）３６の自動利得機能はオフとなり、発光させないときは、オンとなる。
【００３９】
一方、スイッチＳＷ２２がオフとなりＣＣＤ（３）５５が選択されて、ＣＣＤ（３）５５により静止画の撮影が行われるときは、スイッチＳＷ２１の切り替えに関係なくシャッタボタン５０の操作によりフラッシュ光源４が発光されて静止画が記録装置に取り込まれる。しかし、この場合、スイッチＳＷ２１の切り替えによりＣＣＤ（３）５５の設定が切り替えられる。この切り替えは制御部５１に設けたルックアップテーブル（ＬＵＴ）により行われ、スイッチＳＷ２１がオフのときは、ＬＵＴ（２）に従ってＣＣＤ（３）５５の設定が行われ、例えば、ＣＣＤ（３）５５のゲインが低下され、またスイッチＳＷ２１がオンのときはＬＵＴ（１）に従ってゲインが増大される。
【００４０】
この状態が図４にも示されており、スイッチＳＷ２１がオフのときは（左側）、ＬＵＴ（２）に従ってＣＣＤ（３）５５のゲインが低下され、またスイッチＳＷ２１がオンのときはＬＵＴ（１）に従ってゲインが増大される。シャッタボタン５０の操作により、いずれのスイッチ位置でもフラッシュ光源４が発光して静止画が記録装置に取り込まれる。ＣＣＤ（３）５５からの赤外蛍光像は、初期には明るいのでスイッチＳＷ２１がオフとされ、それによりＣＣＤ（３）５５の感度を低めて撮影が行われ、また、後期には暗くなるのでスイッチＳＷ２１がオンとされ、ＣＣＤ（３）５５の感度を高めて撮影を行うことができる。従って、赤外蛍光の全期間に渡って均一な明るさの静止画を得ることが可能となる。
【００４１】
なお、実施例２に使用される装置を実施例１に応用することも可能であり、この場合ＣＣＤ（３）５５は取り外されて、その代わりに遮光キャップ（不図示）が取り付けられる。その場合、スイッチＳＷ２１、スイッチＳＷ２２の作動は、スイッチＳＷ１１、スイッチＳＷ１２と同じになり、その切り替えは、ＣＣＤ（３）５５が取り付けられるマウント（不図示）に、ＣＣＤ（３）５５の着脱を検知する検知機構（不図示）を設け、その検知機構を介して行うようにすればよい。
【図面の簡単な説明】
【００４２】
【図１】本発明に係わる眼科撮影装置の第１の実施例の構成を示す構成図である。
【図２】本発明に係わる眼科撮影装置の第２の実施例の構成を示す構成図である。
【図３】第１の実施例における静止画の取り込みを説明するタイミング図である。
【図４】第２の実施例における静止画の取り込みを説明するタイミング図である。
【図５】第２の実施例で各撮影モードにおいて行われる動作を示した表図である。
【符号の説明】
【００４３】
４  フラッシュ光源（撮影光源）
７  赤外透過可視光カットフィルタ
１４  可視蛍光用エキサイタフィルタ
１５  赤外蛍光用エキサイタフィルタ
３４  可視蛍光用バリアフィルタ
３５  赤外蛍光用バリアフィルタ
４１  ビデオタイマー
４２  ビデオレコーダ
４４  記録装置
５０  シャッタボタン
５１  制御部（制御手段）
５２  撮影モード設定部
【図１】
2006043308.tif 000003
【図２】
2006043308.tif 000004
【図３】
2006043308.tif 000005
【図４】
2006043308.tif 000006
【図５】
2006043308.tif 000007